(57)【特許請求の範囲】
【請求項１】
梁材と柱材とによって骨組構造体が形成される建物の補強構造であって、
前記骨組構造体の下縁は、第１方向に向けて略平行に配置される一対の第１床梁と、前記第１方向に略直交する第２方向に向けて略平行に配置される一対の第２床梁とによって形成されるとともに、前記第１床梁間には、前記第２方向に向けた床小梁が前記第１方向に間隔を置いて複数、差し渡されており、
前記骨組構造体の床部の一部を切断して開口部を形成した際に、前記開口部又はその周辺に位置する前記床小梁に対して、前記第１方向に向けた床補強小梁を、前記床小梁と前記第２床梁との間又は前記床小梁間に差し渡し、前記床補強小梁の両端をそれぞれ側方から挿入される締結部材によって固定させる構造であって、
前記床補強小梁は、少なくとも１本の床小梁を下方から支持するとともに、それとは別の前記床小梁と前記第２床梁との間に差し渡されることを特徴とする建物の補強構造。
【請求項２】
前記開口部を形成するに際して切断された床小梁が、前記床補強小梁によって下方から支持されることを特徴とする請求項１に記載の建物の補強構造。
【請求項３】
前記第２床梁は、床内部側が開放されるように凹部が向けられた溝形鋼又はリップ付き溝形鋼によって形成されており、その凹部を形成するウエブに当接させる取付板と、その取付板から前記凹部より張り出して下方に延設される接続金具とを介して前記床補強小梁が前記第２床梁に連結されることを特徴とする請求項１又は２に記載の建物の補強構造。
【請求項４】
前記床補強小梁の端部には、軸直交方向に張り出された張出部を有する取付部が設けられており、前記張出部に装着される締結部材によって前記第２床梁又は前記床小梁と前記床補強小梁とが連結されることを特徴とする請求項１乃至３のいずれか一項に記載の建物の補強構造。
【請求項５】
前記開口部又はその周辺に位置する前記第１床梁又は前記第２床梁の少なくとも一方は、床内部側が開放されるように凹部が向けられた溝形鋼又はリップ付き溝形鋼によって形成されており、その凹部の開放側に前記第１床梁又は前記第２床梁に沿って補強梁が配置され、
前記凹部を形成するウエブと前記補強梁とが、両端に固定片が形成された曲げ板状の連結部材と締結部材とによって連結されることを特徴とする請求項１乃至４のいずれか一項に記載の建物の補強構造。
【請求項６】
前記連結部材は、本体部が前記凹部を形成するフランジと略平行とされ、その両端に形成された前記固定片同士が上下逆向きに突出された形状となることを特徴とする請求項５に記載の建物の補強構造。
【請求項７】
前記連結部材は、前記補強梁の短手方向に少なくとも２個設けられていることを特徴とする請求項５又は６に記載の建物の補強構造。
【請求項８】
前記連結部材は、前記補強梁の長手方向に、複数個間隔を置いて設けられていることを特徴とする請求項５乃至７のいずれか一項に記載の建物の補強構造。
【請求項９】
前記補強梁は、前記凹部の開放側に、凹部の開放側を向かい合わせにした溝形鋼又はリップ付き溝形鋼であることを特徴とする請求項５乃至８のいずれか一項に記載の建物の補強構造。
【発明の詳細な説明】
【技術分野】
【０００１】
本発明は、梁材と柱材とによって骨組構造体が形成される建物に、鉛直方向に開放される開口部を設ける際の建物の補強構造に関するものである。
【背景技術】
【０００２】
従来、建物としてのユニット建物に吹き抜け空間等の開口部を形成するために、開口部の周辺に位置する床梁や天井梁に、補強部材（スチフナー）を溶接接合又はボルト接合するユニット建物の補強構造が知られている（例えば、特許文献１，２等を参照）。
【０００３】
この特許文献１，２に開示された開口部の補強は、ユニット建物を新築する際におこなわれるものであって、工場において建物ユニットを組み立てる工程の中でおこなわれるため、溶接による接合が可能であるうえに、ボルト接合の場合も取付箇所の制約をほとんど受けることがなく、任意の箇所でおこなうことができる。
【０００４】
他方、改装時に既存のユニット建物の床を開口して収納庫を設けたり、下階から上階にわたる吹き抜け空間を設けたりする場合があるが、開口部を設けるために床小梁や床根太が切断されると、既存のユニット建物に比べて強度が低下することになるので、開口部又はその周辺を補強する必要がある。
【先行技術文献】
【特許文献】
【０００５】
【特許文献１】特開２００８−２９１４８９号公報
【特許文献２】特開２００２−５４２３７号公報
【発明の概要】
【発明が解決しようとする課題】
【０００６】
しかしながら、特許文献１，２に開示されているような溶接接合を使った補強は、既存の建物の中で火器を使用することになるため、火災の危険を考えると実施しにくい。
【０００７】
また、補強部材を梁のフランジにボルト接合で接合しようとすると、上下階で重なり合う梁などが邪魔となり、ボルト孔の穿孔やドリルねじの螺入ができない箇所があるため、新築時と同じように補強することができない。
【０００８】
そこで、本発明は、改装時に開口部を設けるときでも容易に実施することが可能な建物の補強構造を提供することを目的としている。
【課題を解決するための手段】
【０００９】
前記目的を達成するために、本発明の建物の補強構造は、梁材と柱材とによって骨組構造体が形成される建物の補強構造であって、前記骨組構造体の下縁は、第１方向に向けて略平行に配置される一対の第１床梁と、前記第１方向に略直交する第２方向に向けて略平行に配置される一対の第２床梁とによって形成されるとともに、前記第１床梁間には、前記第２方向に向けた床小梁が前記第１方向に間隔を置いて複数、差し渡されており、前記骨組構造体の床部の一部を切断して開口部を形成した際に、前記開口部又はその周辺に位置する前記床小梁に対して、前記第１方向に向けた床補強小梁を、前記床小梁と前記第２床梁との間又は前記床小梁間に差し渡し、前記床補強小梁の両端をそれぞれ側方から挿入される締結部材によって固定させることを特徴とする。
【００１０】
ここで、前記床補強小梁の端部には、軸直交方向に張り出された張出部を有する取付部が設けられており、前記張出部に装着される締結部材によって前記第２床梁又は前記床小梁と前記床補強小梁とが連結される構成とすることができる。また、前記床補強小梁は、前記床小梁と略同じ高さに配置される構成とすることができる。
【００１１】
さらに、前記床補強小梁は、少なくとも１本の床小梁を下方から支持するとともに、それとは別の前記床小梁と前記第２床梁との間に差し渡される構成であってもよい。また、前記開口部を形成するに際して切断された床小梁が、前記床補強小梁によって下方から支持される構成とすることもできる。
【００１２】
さらに、前記第２床梁は、床内部側が開放されるように凹部が向けられた溝形鋼又はリップ付き溝形鋼によって形成されており、その凹部を形成するウエブに当接させる取付板と、その取付板から前記凹部より張り出して下方に延設される接続金具とを介して前記床補強小梁が前記第２床梁に連結される構成であってもよい。
【００１３】
また、前記開口部又はその周辺に位置する前記第１床梁又は前記第２床梁の少なくとも一方は、床内部側が開放されるように凹部が向けられた溝形鋼又はリップ付き溝形鋼によって形成されており、その凹部の開放側に前記第１床梁又は前記第２床梁に沿って補強梁が配置され、前記凹部を形成するウエブと前記補強梁とが、両端に固定片が形成された曲げ板状の連結部材と締結部材とによって連結される構成とすることができる。
【００１４】
さらに、前記連結部材は、本体部が前記凹部を形成するフランジと略平行とされ、その両端に形成された前記固定片同士が上下逆向きに突出された形状となるものであってもよい。
【００１５】
また、前記連結部材は、前記補強梁の短手方向に少なくとも２個設けることができる。さらに、前記連結部材は、前記補強梁の長手方向に、複数個間隔を置いて設けることができる。また、前記補強梁は、前記凹部の開放側に、凹部の開放側を向かい合わせにした溝形鋼又はリップ付き溝形鋼であってもよい。
【発明の効果】
【００１６】
このように構成された本発明の建物の補強構造は、開口部又はその周辺に位置する床小梁を、床小梁と第２床梁との間又は床小梁間に差し渡された床補強小梁によって補強する。また、床小梁と第２床梁との間に床補強小梁を介在させることで、第２床梁の横補剛剛性も向上する。さらに、床補強小梁の両端は、それぞれ側方から挿入される締結部材によって固定される。
【００１７】
このため、既存の建物に開口部を設ける際にも、開口部から床補強小梁の固定をおこなうことができるので、容易に建物を補強することができる。
【００１８】
また、開口部又はその周辺の第２床梁や床小梁に対して床補強小梁による支持点を加えることで、床根太や床小梁の切断による支持点の減少を補うことができるうえに、新たに鉛直荷重が追加される場合であっても、充分に耐力を確保することができる。
【００１９】
さらに、開口部を形成する際に床小梁や床根太などの横補剛効果部材が取り除かれても、床補強小梁を差し渡すことによって水平方向の剛性を充分に確保することができる。
【００２０】
また、床補強小梁の端部に軸直交方向に張り出された張出部を設けることで、容易に締結部材の装着箇所を確保することができる。ここで、床補強小梁を床小梁と略同じ高さに配置する場合は、第２床梁の側方から作用する力による変形（弱軸方向の変形）に対して、床補強小梁の軸方向強さによって充分に対抗させることができる。
【００２１】
さらに、床補強小梁によって床小梁を下方から支持させる構成にすることで、開口部周辺の床のたわみや床鳴りなどの発生を抑えることができる。特に、開口部を形成する際に床小梁が切断された場合は、床小梁の一端と第１床梁との連結が解除されて床小梁がたわみ易くなるが、床補強小梁によって切断された床小梁の端部を下方から支持させることで、開口部周辺の強度の低下を防ぐことができる。
【００２２】
また、このように床小梁を下方から支持させる床補強小梁を取り付ける際には、取付板から下方に延設される接続金具を使用することによって、床補強小梁と第２床梁とを容易に連結させることができる。
【００２３】
さらに、開口部又はその周辺に位置する床梁の長手方向に沿って補強梁を配置し、床梁のウエブと補強梁とを両端に固定片が形成された曲げ板状の連結部材と締結部材とによって連結させることで、さらに開口部を補強することができる。
【００２４】
また、このような構成であれば、改装時に床梁への補強梁の取り付けを開口部から容易におこなうことができる。さらに、補強梁を床梁に沿って配置することで、床梁の強軸方向の許容曲げ応力度を低下させることなく、弱軸方向の強度を高めることができる。すなわち、補強梁の配置によって床梁の横補剛剛性が高められるので、建物の耐力を落とすことなく吹き抜け空間を設けることができる。
【００２５】
また、連結部材の本体部が床梁のフランジと略平行とされ、その両端に形成された固定片同士が上下逆向きに突出した形状とされている場合は、連結部材の一方の固定片を床梁のウエブに締結部材により固定する際に、他方の固定片が邪魔にならずに容易に固定することができる。さらに、他方の固定片を補強梁に締結部材により固定する際にも容易に固定することができる。そして、そのような形状をした連結部材であれば、外壁材に設けられた桟材や補強柱の取付ボルトなどの既存の仕様に干渉しないように配置することができる。
【００２６】
また、連結部材が補強梁の短手方向に少なくとも２個設けられている場合は、床梁と連結部材と補強梁とで閉断面に近い断面が形成されるので、床梁の許容曲げ応力度を確保し、水平方向の剛性を全体として少ない部材量で高めることができる。
【００２７】
さらに、連結部材が補強梁の長手方向に複数個間隔を置いて設けられている場合は、連結部材を床小梁が取り付けられていた箇所を避けて取り付けることができるので、床小梁の端部をそのまま切り残したり、その取付金具などをそのまま残したりしても、補強梁を取り付けることができる。
【００２８】
また、補強梁を、床梁の凹部の開放側に凹部の開放側を向かい合わせにした溝形鋼又はリップ付き溝形鋼によって形成した場合は、既存の建物に下階から上階にわたる吹き抜け空間を設けるなどの改装時において、補強梁にフランジを設けた分、板状の補強梁を使用した場合に比べて水平方向の剛性を高めることができる。さらに、補強梁のフランジが床梁側を向いているので、開口部への突出量を最小限に抑えることができ、内壁材などを取り付ける際にも邪魔になることがない。
【図面の簡単な説明】
【００２９】
【図１】本発明の実施の形態のユニット建物の補強構造の構成を説明する斜視図である。
【図２】建物ユニットの構成を説明する斜視図である。
【図３】本発明の実施の形態のユニット建物の補強構造の構成を説明する断面図である。
【図４】（ａ）は図３のＡ−Ａ矢視方向で見た断面図、（ｂ）は図３のＢ−Ｂ矢視方向で見た断面図、（ｃ）は図３のＣ−Ｃ矢視方向で見た断面図である。
【図５】実施例１のユニット建物の補強構造の構成を説明する斜視図である。
【図６】実施例１のユニット建物の補強構造の構成を説明する断面図である。
【図７】（ａ）は図６のＤ−Ｄ矢視方向で見た断面図、（ｂ）は図６のＥ−Ｅ矢視方向で見た断面図である。
【図８】実施例２の補強梁の取付構造を説明する断面図である。
【図９】図８のＦ−Ｆ矢視方向で見た断面図である。
【図１０】実施例２のユニット建物の補強構造の構成を説明する斜視図である。
【図１１】実施例２のユニット建物の補強構造の構成を説明する平面図である。
【発明を実施するための形態】
【００３０】
以下、本発明の実施の形態について図面を参照して説明する。
【００３１】
図１は、本実施の形態の建物としてのユニット建物の補強構造の構成を説明するために、建物ユニット１Ａの一部を切断して示した斜視図である。ここで、ユニット建物（図示省略）は、図２に示すような建物ユニット１を現場で複数、隣接して設置することによって構築される。
【００３２】
この建物ユニット１は、図２に示すように、隅角部に配置される柱材としての柱１１，・・・と、柱１１，・・・の下端間に架け渡される梁材としての床梁（１２，１３）と、柱１１，・・・の上端間に架け渡される梁材としての天井梁（１５，１６）とによってボックス形のラーメン構造体（骨組構造体）に形成される。
【００３３】
この建物ユニット１は、平面視矩形に形成されており、長辺側（桁側）の床梁を桁側床梁１２（第１床梁）とし、短辺側（妻側）の床梁を妻側床梁１３（第２床梁）とする。また、長辺側の天井梁を桁側天井梁１５とし、短辺側の天井梁を妻側天井梁１６とする。
【００３４】
ここで、桁側床梁１２、妻側床梁１３、桁側天井梁１５及び妻側天井梁１６は、溝形鋼又はリップ付き溝形鋼によって成形される。本実施の形態では、図３の妻側床梁１３で図示されているように、平行な上下のフランジ１３２，１３２間がウエブ１３１によって連結された断面視略コ字形の溝形鋼を使用する場合について説明する。
【００３５】
この溝形鋼（妻側床梁１３など）は、図１，３から明らかなように、フランジ１３２，１３２及びウエブ１３１によって形成される凹部の開放側が床内部側（開口部１７０Ａ側）に向けられている。
【００３６】
また、図２に示すように、桁側床梁１２，１２間には長辺方向（第１方向又は桁方向ともいう。）に間隔を置いて複数の床小梁１７２，・・・が差し渡される。すなわち、この床小梁１７２は、妻側床梁１３と同じく短辺方向（第２方向又は妻方向ともいう。）に向いて略平行に配置される。
【００３７】
この床小梁１７２は、四角筒状の角形鋼管によって成形される。また、床小梁１７２の両端には、断面視コ字形の取付金具１７５が接合されており、その取付金具１７５は桁側床梁１２に溶接によって接合される（図１参照）。
【００３８】
さらに、床小梁１７２，・・・上には妻側床梁１３，１３間に複数の木製の床根太１７３，・・・が差し渡され、その上には床材１７１が貼り付けられる。すなわち、床部１７は、桁側床梁１２，１２間に差し渡された複数の床小梁１７２，・・・と、床小梁１７２，・・・上において妻側床梁１３，１３間に差し渡される複数の床根太１７３，・・・と、面状の床材１７１とによって主に構成される。
【００３９】
一方、桁側天井梁１５，１５間には、短辺方向に向けた複数の木製の天井根太１９２，・・・が架け渡され、それらの天井根太１９２，・・・の下面に天井材１９１が取り付けられることによって天井部１９が形成される。また、柱１１，１１間には壁部１８が設けられる。
【００４０】
さらに、図２に示すように、柱１１と桁側床梁１２又は妻側床梁１３との接合部には、断面視略コ字形の接合枠材１４が配置される。すなわち、柱１１の側面に接合枠材１４の端面が当接されて溶接によって接合がおこなわれ、接合枠材１４に対して桁側床梁１２又は妻側床梁１３が溶接によって接合される。この接合枠材１４は、柱１１と桁側天井梁１５又は妻側天井梁１６との接合にも使用される。
【００４１】
そして、リフォームなどの改装時に、階段、エレベータ、エントランスやリビング等に設けられる吹き抜け空間又は床下収納庫などを構築する際に、建物ユニット１の床部１７の一部を切断して開口部１７０Ａを設けたのが、図１に示した建物ユニット１Ａである。
【００４２】
この図１では、構成をわかりやすくするために床材１７１を取り除いた状態を示している。本来であれば、開口部１７０Ａの形状に合わせて一部が切り取られた床材１７１が、床根太１７３，・・・上に貼り付けられている。
【００４３】
すなわち、この建物ユニット１Ａの開口部１７０Ａは、開口部１７０Ａの直上の床材１７１と、開口部１７０Ａを横断する床根太１７３Ａ，・・・を切断することによって開口される。
【００４４】
この床根太１７３Ａは、切断される前は他の床根太１７３と同様に、端部が妻側床梁１３上に載置され、固定ビス１７４によって妻側床梁１３のフランジ１３２に固定されていた。また、開口部１７０Ａの位置に存在していた床材１７１は、切断される前の床根太１７３Ａ，・・・によって支持されていた。
【００４５】
これに対して、開口部１７０Ａを設けた後は、開口部１７０Ａ又はその周辺の拘束が開放され、水平方向の剛性が低下することになるため、床補強小梁２Ａ，２Ｂを配置することによって開口部１７０Ａ周辺の床部１７や床梁（１２，１３）の補強をおこなうこととする。
【００４６】
すなわち、図１，３に示すように、妻側床梁１３とそれに隣接する床小梁１７２との間に床補強小梁２Ａを差し渡し、床小梁１７２，１７２間に床補強小梁２Ｂを差し渡す。これらの床補強小梁２Ａ，２Ｂは、例えば四角筒状の角形鋼管によって成形される。
【００４７】
この床補強小梁２Ａは、一端が妻側床梁１３のウエブ１３１に接合され、他端が床小梁１７２の側面に接合される。この妻側床梁１３に接合される床補強小梁２Ａの端部には、図４（ａ）に示すように、取付部としての端面板２１が溶接部２３，２３を介して接合される。
【００４８】
この端面板２１は、床補強小梁２Ａの断面よりも大きな面積を有し、図４（ａ）に示すように、床補強小梁２Ａの側方（軸直交方向）に張り出した部分が張出部２１ａ，２１ａとなる。
【００４９】
そして、端面板２１の背面をウエブ１３１の床内部側の側面に当接させ、締結部材としてのドリルねじ２２，・・・を床内部側から張出部２１ａ，２１ａに捩じ込むことで、床補強小梁２Ａの一端が妻側床梁１３に固定される。
【００５０】
一方、床補強小梁２Ａの他端及び床補強小梁２Ｂの一端は、図４（ｂ）に示すように、端面板２１とＬ金具２４とによって構成される取付部を介して床小梁１７２の側面に接合される。
【００５１】
この床補強小梁２Ｂ（２Ａ）の端部は、端面板２１に溶接部２３を介して接合された断面視略Ｌ字形のＬ金具２４の上に載置され、ドリルねじ２２，２２によってＬ金具２４に固定される。
【００５２】
また、端面板２１は、その背面を床小梁１７２の側面に当接させ、ドリルねじ２２，・・・を側方から張出部２１ａ，２１ａに捩じ込むことで、床補強小梁２Ｂ（２Ａ）の端部が床小梁１７２に固定される。
【００５３】
さらに、もう一方の床補強小梁２Ｂの端部は、図４（ｃ）に示すように、取付部としての端面板２１を介して床小梁１７２の側面に接合される。すなわち、端面板２１の背面を床小梁１７２の開口部１７０Ａ側の側面に当接させ、締結部材としてのドリルねじ２２，・・・を開口部１７０Ａ側から張出部２１ａ，２１ａに捩じ込むことで、床補強小梁２Ｂの端部が床小梁１７２に固定される。
【００５４】
また、図１に示すように、妻側床梁１３とそれに隣接する床小梁１７２との間には、開口部１７０Ａ周辺の２箇所において床補強小梁２Ａ，２Ａが平行に差し渡される。
【００５５】
これらの床補強小梁２Ａ，２Ａ，２Ｂの配置位置は、開口部１７０Ａの利用目的に応じて適宜、変更することができる。例えば、開口部１７０Ａに階段やエレベータなどの部材を取り付ける場合は、その部材の自重などの鉛直荷重が追加されることになるので、その荷重の作用位置に合わせて床補強小梁２Ａ，２Ａ，２Ｂを配置すればよい。
【００５６】
次に、本実施の形態のユニット建物の補強構造の作用について説明する。
【００５７】
このように構成された本発明のユニット建物の補強構造は、開口部１７０Ａ又はその周辺に位置する床小梁１７２，１７２を、床小梁１７２と妻側床梁１３との間及び床小梁１７２，１７２間に差し渡された床補強小梁２Ａ，２Ｂによって補強する。
【００５８】
また、開口部１７０Ａを形成する際に床根太１７３Ａ，・・・を切断すると、横補剛効果部材が取り除かれることになって風荷重や地震荷重などの水平方向の荷重が妻側床梁１３の側方から作用したときの剛性が低下することになるが、床補強小梁２Ａ，２Ａ，２Ｂを介在させて支持させることで水平方向の剛性が補われ、妻側床梁１３の変形を抑えることができる。
【００５９】
そして、床補強小梁２Ａ，２Ｂの両端は、それぞれ開口部１７０Ａ側となる側方から挿入されるドリルねじ２２，・・・によって固定される。
【００６０】
このため、既存のユニット建物に開口部１７０Ａを設ける際にも、開口部１７０Ａから床補強小梁２Ａ，２Ｂの固定をおこなうことができるので、容易にユニット建物を補強することができる。
【００６１】
また、開口部１７０Ａを使って床置きエレベータなどを新たに設ける場合は、開口部１７０Ａの床小梁１７２及び床補強小梁２Ａ，２Ｂにエレベータに使用する部材や機器などの鉛直方向の上載荷重が作用することになる。
【００６２】
このようにユニット建物に新たな荷重が追加される場合でも、床補強小梁２Ａ，２Ｂによって床小梁１７２や妻側床梁１３の支持点が設けられていれば、充分に耐力を確保することができる。
【００６３】
また、床補強小梁２Ａ，２Ｂの端部に軸直交方向に張り出された張出部２１ａを設けることで、開口部１７０Ａを利用して側方から容易にドリルねじ２２，・・・を装着することが可能な装着箇所を確保することができる。
【００６４】
さらに、床補強小梁２Ａ，２Ｂが床小梁１７２と略同じ高さに配置されれば、床小梁１７２と妻側床梁１３との間及び床小梁１７２，１７２間に軸力材として介在されることになり、妻側床梁１３の側方から作用する力による水平方向の変形（弱軸方向の変形）に対して、床補強小梁２Ａ，２Ｂの軸方向強さによって充分に対抗させることができる。
【実施例１】
【００６５】
以下、前記した実施の形態とは別の形態の実施例１について、図５−７を参照しながら説明する。なお、前記実施の形態で説明した内容と同一乃至均等な部分の説明については同一符号を付して説明する。
【００６６】
前記実施の形態の開口部１７０Ａは、床材１７１と床根太１７３Ａを切断することによって形成されたが、この実施例１の開口部１７０Ｂは、図５に示すように建物ユニット１Ｂの床材１７１と床根太１７３Ａと床小梁１７２Ａを切断することによって形成される。
【００６７】
このようにして形成された開口部１７０Ｂ又はその周辺には、床補強小梁３を使った補強をおこなう。この床補強小梁３は、例えば四角筒状の角形鋼管によって成形される。
【００６８】
この床補強小梁３は、切断された床小梁１７２Ａの下を通ってそれに隣接する別の床小梁１７２と妻側床梁１３との間に差し渡される。また、切断された床小梁１７２Ａの端部は、床補強小梁３の上に載置され、床補強小梁３によって下方から支持される。
【００６９】
この床補強小梁３は、図６に示すように、一端が妻側床梁１３のウエブ１３１に接合され、他端が床小梁１７２の側面に接合される。この妻側床梁１３に接合される床補強小梁３の端部には、図６及び図７（ａ）に示すように、取付部としての梁側取付部３１が設けられている。
【００７０】
この梁側取付部３１は、ウエブ１３１に当接させる取付板３１１と、その取付板３１１の開口部１７０Ｂ側の面に溶接部２３を介して接合される側面視略逆Ｌ字形の接続金具３１２と、接続金具３１２と床補強小梁３の端部との間に介在させるＬ金具３１３とによって主に構成される。
【００７１】
この接続金具３１２は、図６に示すように、取付板３１１に側縁が当接されてフランジ１３２より張り出された後に下方に向けて垂下される逆Ｌ字形のＬ状板３１２ａと、間隔を置いて平行に取付板３１１に取り付けられたＬ状板３１２ａ，３１２ａの床内部側（開口部１７０Ｂ側）の側縁間を塞ぐ矩形板３１２ｂとによって形成される。
【００７２】
この妻側床梁１３の凹部から張り出して下方に延設される接続金具３１２を介在させることで、床補強小梁３の取り付け位置を、床小梁１７２Ａ，１７２や妻側床梁１３よりも低い位置にすることができる。
【００７３】
そして、この矩形板３１２ｂの下部に、溶接部２３を介してＬ金具３１３を接合する。また、Ｌ金具３１３の上には、床補強小梁３の端部を載置し、ドリルねじ２２，２２によってＬ金具３１３に固定させる。
【００７４】
一方、床補強小梁３の他端は、図６及び図７（ｂ）に示すように、取付部としての長板３２を介して床小梁１７２の側面に接合される。この長板３２は、床小梁１７２の高さよりも長い長辺を有する長方形状の鋼板によって成形される。
【００７５】
そして、長板３２の下部に溶接部２３を介して床補強小梁３の端部を接合する。また、床補強小梁３の上方に張り出された長板３２の張出部３２ａには、開口部１７０Ｂ側から締結部材としてのドリルねじ２２，２２を捩じ込むことで、床補強小梁３の端部を床小梁１７２に固定させる。
【００７６】
このように床小梁１７２より低い位置に配置される床補強小梁３によって、開口部１７０Ｂを形成する際に切断された床小梁１７２Ａの端部を下方から支持させることで、切断された床小梁１７２Ａ周辺の強度の低下を防ぐことができる。
【００７７】
例えば、広い吹き抜け空間を形成するには少なくとも一本の床小梁１７２を切断する必要があるが、切断された床小梁１７２Ａは桁側床梁１２との連結が解除されるので、補強がなければたわみ易い状態になる。そして、床小梁１７２Ａがたわみ易い状態になると、床根太１７３を介して床小梁１７２Ａに支持される開口部１７０Ｂ周辺の床材１７１の支持が不充分になり、床のたわみや床鳴りが発生する原因になる。
【００７８】
これに対して切断された床小梁１７２Ａの端部を床補強小梁３によって下方から支持させれば、床小梁１７２Ａの変形が抑制され、開口部１７０Ｂ周辺の床のたわみや床鳴りの発生を防ぐことができる。
【００７９】
また、妻側床梁１３の水平方向（弱軸方向）の剛性についても、妻側床梁１３と床小梁１７２とを連結させる床補強小梁３によって補われるため、妻側床梁１３の側方から作用する水平方向の荷重に対して妻側床梁１３の変形を抑えることができる。
【００８０】
また、このように床小梁１７２，１７２Ａよりも低い位置に床補強小梁３を配置する際には、ウエブ１３１に当接させる取付板３１１から下方に延設される接続金具３１２を使用することによって、端部の強度を低下させることなく、床補強小梁３と妻側床梁１３とを容易に連結させることができる。
【００８１】
さらに、床補強小梁３が床小梁１７２Ａの下を通過させる低い位置に配置されていれば、床小梁１７２，１７２Ａの高さの空間を有効に活用することができる。
【００８２】
なお、他の構成及び作用効果については、前記実施の形態又は他の実施例と略同様であるので説明を省略する。
【実施例２】
【００８３】
以下、前記した実施の形態又は実施例１とは別の形態の実施例２について、図８−１１を参照しながら説明する。なお、前記実施の形態又は実施例１で説明した内容と同一乃至均等な部分の説明については同一符号を付して説明する。
【００８４】
この実施例２では、前記実施の形態又は実施例１で説明したような床補強小梁２Ａ，２Ｂ，３による補強だけでなく、開口部１７０Ｃ周辺の桁側床梁１２及び妻側床梁１３を補強梁４によって直接、補強する構成について説明する。
【００８５】
例えば、吹き抜け空間を形成するために、図１０に示すような大きな開口部１７０Ｃを形成すると、床小梁１７２Ａが切断されることになって桁側床梁１２の横補剛剛性が低下することになる。
【００８６】
また、開口部１７０Ｃとして部材が横たわることのない広い空間を確保するためには、床補強小梁２Ｃ，３Ａを配置する位置も開口部１７０Ｃ周辺の床材１７１の下に制限されることになる。
【００８７】
そこで、この実施例２では、補強梁４を使って、開口部１７０Ｃに面する桁側床梁１２及び妻側床梁１３の補強をおこなう。この補強梁４は、図１０，１１に示すように、桁側床梁１２及び妻側床梁１３の軸方向に沿って配置される長尺状の鋼材である。
【００８８】
例えば、補強梁４は、図８に示すように、平行な上下のフランジ４２，４２間がウエブ４１によって連結された断面視略コ字形の溝形鋼によって形成される。また、補強梁４は、妻側床梁１３（又は桁側床梁１２）の凹部の開放側に、補強梁４の凹部の開放側を向かい合わせにした状態で配置される。
【００８９】
そして、補強梁４は、鉛直方向（補強梁４の短手方向）に間隔を置いて配置される連結部材４３，４３によって妻側床梁１３（又は桁側床梁１２）のウエブ１３１に連結される。この連結部材４３，４３は、図１０，１１に示すように補強梁４の長手方向に、複数個間隔を置いて設けられる。
【００９０】
この連結部材４３は、図８に示すように、鋼板を折り曲げ加工することによって形成される。具体的には、連結部材４３の本体部４３１はフランジ１３２と略平行になり、本体部４３１の妻側床梁１３側の端部は、本体部４３１に対して直角上向きに折り曲げられて固定片４３２が形成される。また、補強梁４側の端部は、本体部４３１に対して直角下向きに折り曲げられて固定片４３３が形成される。すなわち、本体部４３１の両端に形成された固定片４３２，４３３同士は、上下逆向きに突出された形状となる。
【００９１】
また、妻側床梁１３のウエブ１３１に当接される固定片４３２は、締結部材としてのドリルねじ４３４によってウエブ１３１に固定される。このドリルねじ４３４の捩じ込みは、開口部１７０Ｃを利用して側方からおこなうことができる。
【００９２】
図９は、図８のＦ−Ｆ矢視方向で見た連結部材４３，４３の正面を示した図である。下側の連結部材４３の固定片４３２に捩じ込まれるドリルねじ４３４は、上側の連結部材４３の固定片４３３に覆われて側方から見えなくなるが、下側の連結部材４３を先に取り付けるようにすれば、上下の連結部材４３，４３を側方から容易に固定することができる。
【００９３】
また、このような形状をした連結部材４３であれば、外壁材に設けられた桟材や補強柱の取付ボルトなどの既存の仕様に干渉しないようにして妻側床梁１３に取り付けることができる。
【００９４】
さらに、開口部１７０Ｃ側に露出された固定片４３３，４３３に対しては、補強梁４のウエブ４１を当接させ、ドリルねじ４３４，４３４を開口部１７０Ｃ側から捩じ込むことで、補強梁４を連結部材４３，４３に固定することが容易にできる。
【００９５】
このように開口部１７０Ｃ又はその周辺に位置する床梁（１２，１３）の長手方向に沿って補強梁４，４を配置し、床梁（１２，１３）のウエブ１３１と補強梁４とを両端に固定片４３２，４３３が形成された曲げ板状の連結部材４３とドリルねじ４３４とによって連結させれば、床梁（１２，１３）自体の強軸方向の許容曲げ応力度を低下させることなく、床梁の弱軸方向の強度（床梁の側方から作用する力に対する水平方向の剛性）を高めることができる。
【００９６】
また、図１０，１１に示すように、開口部１７０Ｃの周辺には床補強小梁２Ｃ，３Ａを配置する。この床補強小梁２Ｃによって、切断された床根太１７３Ａ，・・・の端部を下方から支持させる。
【００９７】
この床補強小梁２Ｃは、床小梁１７２と略平行となるとともに、床小梁１７２と略同じ高さに配置される。また、床補強小梁２Ｃの桁側床梁１２側の端部は、図１１に示すように、取付部としての端面板２１とＬ金具２４を介して、ドリルねじ２２によって桁側床梁１２に固定される。
【００９８】
また、床補強小梁２Ｃの他方の端部は、床補強小梁３Ａの上に載置される。この床補強小梁３Ａは、切断された床小梁１７２Ａと、床補強小梁２Ｃの下を通って、妻側床梁１３と床小梁１７２との間に差し渡される。
【００９９】
この床補強小梁３Ａの妻側床梁１３側の端部には、図１１に示すように、取付板３１１と接続金具３１２とＬ金具３１３とによって取付部が形成されており、取付板３１１の張出部３１１ａにドリルねじ２２，・・・を捩じ込むことによって妻側床梁１３に固定される。
【０１００】
また、床補強小梁３Ａの他方の端部には、長板３２が取付部として設けられており、開口部１７０Ｃ周辺の切断されていない床小梁１７２の側面に長板３２を当接させ、ドリルねじ２２を捩じ込むことによって固定される。
【０１０１】
さらに、床補強小梁３Ａの上に載置された切断された床小梁１７２Ａの端部は、取付部としての取付金具３３とドリルねじ２２，・・・によって床補強小梁３Ａに固定される。
【０１０２】
そして、床補強小梁３Ａの上に載置された床補強小梁２Ｃの端部は、床小梁１７２Ａの端部と同様に、取付部としての取付金具３３とドリルねじ２２，・・・によって床補強小梁３Ａに固定される。
【０１０３】
このように実施例２では、開口部１７０Ｃの四辺が、補強梁４，４及び床補強小梁２Ｃ，３Ａによって補強される。なお、図１０では、開口部１７０Ｃに面する桁側天井梁１５及び妻側天井梁１６に沿って配置される補強梁５，５も図示した。この補強梁５も、連結部材４３と同様の部材を使って天井梁（１５，１６）に連結される。
【０１０４】
ここで、床補強小梁２Ｃが配置されることによって、切断された床根太１７３Ａ，・・・の端部が下方から支持されることになり、開口部１７０Ｃ周辺の床部１７が補強される。
【０１０５】
また、桁側床梁１２の横補剛効果部材であった床小梁１７２Ａの切断によって低下した水平方向の剛性を、床補強小梁２Ｃによる支持点を追加することによって補うことができる。
【０１０６】
さらに、床補強小梁３Ａが配置されることによって、切断された床小梁１７２Ａ及び床補強小梁２Ｃの端部が下方から支持されることになり、開口部１７０Ｃ周辺の床部１７が補強される。
【０１０７】
また、妻側床梁１３の横補剛効果部材であった床根太１７３Ａ，・・・の切断によって低下した水平方向の剛性を、床補強小梁３Ａによる支持点を追加することによって補うことができる。
【０１０８】
このように開口部１７０Ｃ又はその周辺に位置する床梁（１２，１３）の長手方向に沿って補強梁４，４を配置し、床梁（１２，１３）のウエブ１３１と補強梁４とを両端に固定片４３２，４３３が形成された曲げ板状の連結部材４３，４３とドリルねじ４３４，・・・とによって連結させることで、床補強小梁２Ｃ，３Ａによる補強効果に加えて、さらに開口部１７０Ｃを補強することができる。このため、既存のユニット建物の耐力を落とすことなく、改装時に吹き抜け空間を新たに設けることができる。
【０１０９】
また、連結部材４３，４３が補強梁４の短手方向に少なくとも２個設けられている場合は、床梁（１２，１３）と連結部材４３，４３と補強梁４とで閉断面に近い断面が形成されるので、床梁（１２，１３）の許容曲げ応力度を増加させることができる。さらに、間隔を置いて配置される連結部材４３，４３を使用する構成であれば、床梁（１２，１３）の水平方向の剛性を少ない部材量で高めることができる。
【０１１０】
また、連結部材４３，４３を、図１０，１１に示すように、補強梁４の長手方向に複数個間隔を置いて設ける構成とすることで、床小梁１７２が取り付けられていた箇所を避けて連結部材４３を取り付けることができる。このため、床小梁１７２の端部をそのまま切り残したり、その取付金具１７５などをそのまま残したりしても、補強梁４を取り付けることができる。
【０１１１】
さらに、補強梁４を、床梁（１２，１３）の凹部の開放側に凹部の開放側を向かい合わせにした溝形鋼又はリップ付き溝形鋼によって形成することで、既存のユニット建物に下階から上階にわたる吹き抜け空間を設けるなどの改装時において、補強梁４にフランジ４２，４２を設けた分、板状の補強梁を使用した場合に比べて水平方向の剛性を高めることができる。
【０１１２】
また、補強梁４のフランジ４２，４２が床梁側を向いて床梁（１２，１３）の凹部に収容されるのであれば、開口部１７０Ｃへの突出量を最小限に抑えることができ、内壁材などを取り付ける際にも邪魔になることがない。
【０１１３】
なお、他の構成及び作用効果については、前記実施の形態又は他の実施例と略同様であるので説明を省略する。
【０１１４】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１１５】
例えば、前記実施の形態又は実施例では、第１床梁を桁側床梁１２とし、第２床梁を妻側床梁１３としたが、これに限定されるものではなく、第１床梁を妻側床梁とし、第２床梁を桁側床梁としてもよい。また、第１床梁と第２床梁の長さが同じであってもよい。
【０１１６】
また、前記実施の形態又は実施例では、締結部材としてドリルねじ２２，４３４を使用する場合について説明したが、これに限定されるものではなく、例えば、ドリルなどの穿孔機で孔を開けたり既存の孔が利用できたりするのであれば、ワンサイドボルト、ネジ、ビスなどを締結部材として使用することができる。
【０１１７】
さらに、前記実施の形態又は実施例では、建物ユニット１Ａ−１Ｃの一部に開口部１７０Ａ−１７０Ｃを設ける場合について説明したが、これに限定されるものではなく、ユニット建物の複数個所に開口部を設ける場合にも本発明を適用できる。
【０１１８】
また、前記実施の形態では、開口部１７０Ａの床小梁１７２を、床補強小梁２Ａ，２Ｂによって両側から支持させたが、これに限定されるものではなく、所望される強度によってはいずれか一方の床補強小梁２Ａ（２Ｂ）のみの配置であってもよい。
【０１１９】
さらに、前記実施例１，２では、床補強小梁３，３Ａは、一本の床小梁１７２Ａの下を通過しているだけであるが、これに限定されるものではなく、複数の床小梁１７２，・・・の下を通過させる床補強小梁であってもよい。
【０１２０】
また、前記実施例２では、開口部１７０Ｃに面した桁側床梁１２と妻側床梁１３の両方を補強梁４，４によって補強したが、これに限定されるものではなく、いずれか一方を補強するだけでもよい。
【０１２１】
さらに、前記実施の形態又は実施例では、ラーメン構造体である建物ユニット１（１Ａ−１Ｃ）を複数、隣接させて構成されるユニット建物の補強構造について説明したが、これに限定されるものではない。例えば、軽量形鋼を使った梁材と柱材とによって組み立てられる骨組構造体が形成される鉄骨造の建物にも本発明を適用することができる。
【符号の説明】
【０１２２】
１，１Ａ−１Ｃ  建物ユニット（骨組構造体）
１１            柱（柱材）
１２            桁側床梁（第１床梁、梁材）
１３            妻側床梁（第２床梁、梁材）
１３１          ウエブ
１３２          フランジ
１５            桁側天井梁（梁材）
１６            妻側天井梁（梁材）
１７            床部
１７２，１７２Ａ  床小梁
１７３，１７３Ａ  床根太
１７０Ａ        開口部
２Ａ，２Ｂ      床補強小梁
２１            端面板（取付部）
２１ａ          張出部
１７０Ｂ        開口部
３              床補強小梁
３１            梁側取付部（取付部）
３１１          取付板
３１１ａ        張出部
３１２          接続金具
３２            長板（取付部）
３２ａ          張出部
１７０Ｃ        開口部
２Ｃ，３Ａ      床補強小梁
３３            取付金具（取付部）
４              補強梁
４１            ウエブ
４２            フランジ
４３            連結部材
４３１          本体部
４３２，４３３  固定片
【要約】
【課題】改装時に開口部を設けるときでも容易に実施することが可能な建物の補強構造を提供する。
【解決手段】建物ユニット１Ａの床部の一部を切断して開口部１７０Ａを形成した際に、開口部又はその周辺に位置する床小梁１７２，１７２に対して、桁方向に向けた床補強小梁２Ａ，２Ｂを、床小梁１７２と妻側床梁１３との間又は床小梁１７２，１７２間に差し渡し、床補強小梁の両端をそれぞれ側方から挿入されるドリルねじ２２によって固定させる。
【選択図】図１【図１】
0004691203.tif 000002
【図２】
0004691203.tif 000003
【図３】
0004691203.tif 000004
【図４】
0004691203.tif 000005
【図５】
0004691203.tif 000006
【図６】
0004691203.tif 000007
【図７】
0004691203.tif 000008
【図８】
0004691203.tif 000009
【図９】
0004691203.tif 000010
【図１０】
0004691203.tif 000011
【図１１】
0004691203.tif 000012